(57)【要約】【課題】データ入力操作に煩わされずそのまますぐに名刺を印刷でき、必要に応じて適切な本人確認処理ができるようにする。【解決手段】名刺１０に印刷された文字情報１６と印刷書式情報１７とを含み、当該名刺１０をそのまま印刷するために必要な全ての情報を、名刺１０の余白に印刷された２次元バーコード１２で表示した。プリンタは、名刺に印刷された２次元バーコードを読み取る読み取り装置３１と、２次元バーコード１２により表示された情報を取得する情報取得手段３２と、情報取得手段３２の取得した情報に基づいて、印刷用紙と文字情報と印刷書式情報とを選択して名刺を印刷する印刷手段３３とを備える。【選択図】図１
2007210107.tif 000002
【特許請求の範囲】
【請求項１】
印刷された文字情報と、印刷書式情報とを含み、
名刺をそのまま印刷するために必要な全ての情報を、余白に印刷された２次元バーコードで表示したことを特徴とする名刺。
【請求項２】
印刷された文字情報と、印刷書式情報とを含み、
名刺をそのまま印刷するために必要な全ての情報を登録したウェブサイトをアクセスするためのＵＲＬを、余白に印刷された２次元バーコードで表示したことを特徴とする名刺。
【請求項３】
名刺に印刷された２次元バーコードを読み取る読み取り装置と、
前記２次元バーコードにより表示された、当該名刺をそのまま印刷するために必要な全ての情報を取得する情報取得手段と、
前記情報取得手段の取得した情報に基づいて、印刷用紙と文字情報と印刷書式情報とを選択して、前記名刺と同一の名刺を印刷する印刷手段とを備えたことを特徴とするプリンタ。
【請求項４】
名刺に印刷された２次元バーコードを読み取る読み取り装置と、
前記２次元バーコードにより表示されたＵＲＬをアクセスして、当該名刺をそのまま印刷するために必要な全ての情報を取得する情報取得手段と、
前記情報取得手段の取得した情報に基づいて、印刷用紙と文字情報と印刷書式情報とを選択して、前記名刺と同一の名刺を印刷する印刷手段とを備えたことを特徴とするプリンタ。
【請求項５】
請求項３に記載のプリンタにおいて、
携帯端末装置から取得された、名刺の所有者を特定する情報と、前記名刺をそのまま印刷するために必要な全ての情報中に含まれた所定の情報とを比較して、両者が一致したときに前記印刷手段に印刷を実行させる本人確認手段を備えたことを特徴とするプリンタ。
【請求項６】
名刺に印刷された２次元バーコードを読み取る読み取り装置と、
前記２次元バーコードにより表示された、当該名刺をそのまま印刷するために必要な全ての情報を取得する情報取得手段と、
本人確認情報を記憶した記憶装置と、
前記情報取得手段の取得した情報と前記本人確認情報とをプリンタに転送して、名刺の印刷を要求することを特徴とする携帯端末装置。
【請求項７】
名刺に印刷された２次元バーコードを読み取る読み取り装置と、
前記２次元バーコードにより表示されたＵＲＬをアクセスして、当該名刺をそのまま印刷するために必要な全ての情報を取得する情報取得手段と、
前記情報取得手段の取得した情報をプリンタに転送して、名刺の印刷を要求することを特徴とする携帯端末装置。
【請求項８】
プリンタのコンピュータを、
名刺に印刷された２次元バーコードを読み取る読み取り装置と、
前記２次元バーコードにより表示された、当該名刺をそのまま印刷するために必要な全ての情報を取得する情報取得手段と、
前記情報取得手段の取得した情報に基づいて、印刷用紙と文字情報と印刷書式情報とを選択して、前記名刺と同一の名刺を印刷する印刷手段と、
携帯端末装置から取得された、名刺の所有者を特定する情報と、前記名刺をそのまま印刷するために必要な情報中に含まれた所定の情報とを比較して、両者が一致したときに前記印刷手段に印刷を実行させる本人確認手段、
として機能させる名刺印刷制御プログラム。
【請求項９】
プリンタのコンピュータを、
名刺に印刷された２次元バーコードを読み取る読み取り装置と、
前記２次元バーコードにより表示された、当該名刺をそのまま印刷するために必要な全ての情報を取得する情報取得手段と、
前記情報取得手段の取得した情報に基づいて、印刷用紙と文字情報と印刷書式情報とを選択して、前記名刺と同一の名刺を印刷する印刷手段と、
携帯端末装置から取得された、名刺の所有者を特定する情報と、前記名刺をそのまま印刷するために必要な情報中に含まれた所定の情報とを比較して、両者が一致したときに前記印刷手段に印刷を実行させる本人確認手段、
として機能させる名刺印刷制御プログラムを記録したコンピュータで読み取り可能な記録媒体。
【請求項１０】
読み取り装置が、名刺に印刷された２次元バーコードを読み取るステップと、
情報取得手段が、前記２次元バーコードにより表示された、当該名刺をそのまま印刷するために必要な全ての情報を取得するステップと、
印刷手段が、前記情報取得手段の取得した情報に基づいて、印刷用紙と文字情報と印刷書式情報とを選択して、前記名刺と同一の名刺を印刷するステップと、
本人確認手段が、携帯端末装置から取得された、名刺の所有者を特定する情報と、前記名刺をそのまま印刷するために必要な情報中に含まれた所定の情報とを比較して、両者が一致したときに前記印刷手段に印刷を実行させるステップ、
とを含む名刺印刷制御方法。
【発明の詳細な説明】
【技術分野】
【０００１】
本発明は、自分の名刺をコンビニエンスストア等で気軽に簡単に印刷できる、名刺とプリンタと携帯端末装置と名刺印刷制御プログラムと記録媒体と名刺印刷制御方法に関する。
【背景技術】
【０００２】
名刺は、自己紹介の手段として広く利用されている。こうした名刺をどこでも簡単に複製できるように、スタンド式の名刺プリンタの実用化が図られている（特許文献１参照）。
【特許文献１】特開２００５−７８１４号公報
【発明の開示】
【発明が解決しようとする課題】
【０００３】
ここで、従来の技術には、次のような解決すべき課題があった。
スタンド式の名刺プリンタは、鉄道の駅等に設置されて利用されることになるが、データの入力操作に時間がかかるという問題がある。また、データカードやインターネットを利用して名刺印刷用データを送受信することが考えられるが、個人情報の取り扱いが問題になる。名刺印刷のためにデータカードを持ち歩くのも煩わしい。本発明は以上の課題を解決するためになされたもので、データ入力操作に煩わされず、そのまますぐに名刺を印刷でき、必要に応じて適切な本人確認処理ができる、名刺とプリンタと携帯端末装置と名刺印刷制御プログラムと記録媒体と名刺印刷制御方法を提供することを目的とする。
【課題を解決するための手段】
【０００４】
本発明の各実施例においては、それぞれ次のような構成により上記の課題を解決する。
〈構成１〉印刷された文字情報と、印刷書式情報とを含み、名刺をそのまま印刷するために必要な全ての情報を、余白に印刷された２次元バーコードで表示したことを特徴とする名刺。
【０００５】
名刺に印刷された２次元バーコードにより、当該名刺をそのまま印刷するために必要な全ての情報を表示するので、いつでもその名刺を簡単に複製できる。
【０００６】
〈構成２〉印刷された文字情報と、印刷書式情報とを含み、名刺をそのまま印刷するために必要な全ての情報を登録したウェブサイトをアクセスするためのＵＲＬを、余白に印刷された２次元バーコードで表示したことを特徴とする名刺。
【０００７】
２次元バーコードで表示できる情報量が少ないときは、該当する情報を登録したウェブサイトのＵＲＬを表示させる。これにより、名刺印刷に必要な全ての十分な量の情報を表示できる。
【０００８】
〈構成３〉名刺に印刷された２次元バーコードを読み取る読み取り装置と、上記２次元バーコードにより表示された、当該名刺をそのまま印刷するために必要な全ての情報を取得する情報取得手段と、上記情報取得手段の取得した情報に基づいて、印刷用紙と文字情報と印刷書式情報とを選択して、上記名刺と同一の名刺を印刷する印刷手段とを備えたことを特徴とするプリンタ。
【０００９】
名刺に印刷された２次元バーコードから必要な全ての情報を取得できるときは、これにより、ただちに名刺の印刷を開始できる。データの入力操作や書式設定操作無しに、いつでも、このプリンタで既存の名刺を複製できる。
【００１０】
〈構成４〉名刺に印刷された２次元バーコードを読み取る読み取り装置と、上記２次元バーコードにより表示されたＵＲＬをアクセスして、当該名刺をそのまま印刷するために必要な全ての情報を取得する情報取得手段と、上記情報取得手段の取得した情報に基づいて、印刷用紙と文字情報と印刷書式情報とを選択して、上記名刺と同一の名刺を印刷する印刷手段とを備えたことを特徴とするプリンタ。
【００１１】
名刺に印刷された２次元バーコードからＵＲＬが取得できたとき、そのＵＲＬを自動的にアクセスして、名刺をそのまま印刷するために必要な全ての情報を取得できる。これにより、ネットワークに接続されたプリンタであれば、いつでも、同じ名刺を複製できる。
【００１２】
〈構成５〉構成３に記載のプリンタにおいて、携帯端末装置から取得された、名刺の所有者を特定する情報と、上記名刺をそのまま印刷するために必要な全ての情報中に含まれた所定の情報とを比較して、両者が一致したときに上記印刷手段に印刷を実行させる本人確認手段を備えたことを特徴とするプリンタ。
【００１３】
例えば、携帯電話の電話番号と名刺に含まれた電話番号が一致すれば、本人の名刺であると確認できる。こうして本人確認をして、名刺印刷を要求できる者を特定した。これにより、本人以外の者による名刺の安易な複製を防止できる。
【００１４】
〈構成６〉名刺に印刷された２次元バーコードを読み取る読み取り装置と、上記２次元バーコードにより表示された、当該名刺をそのまま印刷するために必要な全ての情報を取得する情報取得手段と、本人確認情報を記憶した記憶装置と、上記情報取得手段の取得した情報と上記本人確認情報とをプリンタに転送して、名刺の印刷を要求することを特徴とする携帯端末装置。
【００１５】
名刺に印刷された２次元バーコードを本人の携帯電話で読み取って、本人確認情報とともにプリンタに転送する。これにより、本人のみが、名刺をそのまま自由に複製できる。
【００１６】
〈構成７〉名刺に印刷された２次元バーコードを読み取る読み取り装置と、上記２次元バーコードにより表示されたＵＲＬをアクセスして、当該名刺をそのまま印刷するために必要な全ての情報を取得する情報取得手段と、上記情報取得手段の取得した情報をプリンタに転送して、名刺の印刷を要求することを特徴とする携帯端末装置。
【００１７】
名刺に印刷された２次元バーコードを本人の携帯電話で読み取って、該当するＵＲＬから必要な情報を取得する。ウェブサイトへのログイン時に本人確認がされているから、この場合には本人確認情報を転送する必要はない。
【００１８】
〈構成８〉プリンタのコンピュータを、名刺に印刷された２次元バーコードを読み取る読み取り装置と、上記２次元バーコードにより表示された、当該名刺をそのまま印刷するために必要な全ての情報を取得する情報取得手段と、上記情報取得手段の取得した情報に基づいて、印刷用紙と文字情報と印刷書式情報とを選択して、上記名刺と同一の名刺を印刷する印刷手段と、携帯端末装置から取得された、名刺の所有者を特定する情報と、上記名刺をそのまま印刷するために必要な情報中に含まれた所定の情報とを比較して、両者が一致したときに上記印刷手段に印刷を実行させる本人確認手段、として機能させる名刺印刷制御プログラム。
【００１９】
〈構成９〉プリンタのコンピュータを、名刺に印刷された２次元バーコードを読み取る読み取り装置と、上記２次元バーコードにより表示された、当該名刺をそのまま印刷するために必要な全ての情報を取得する情報取得手段と、上記情報取得手段の取得した情報に基づいて、印刷用紙と文字情報と印刷書式情報とを選択して、上記名刺と同一の名刺を印刷する印刷手段と、携帯端末装置から取得された、名刺の所有者を特定する情報と、上記名刺をそのまま印刷するために必要な情報中に含まれた所定の情報とを比較して、両者が一致したときに上記印刷手段に印刷を実行させる本人確認手段、として機能させる名刺印刷制御プログラムを記録したコンピュータで読み取り可能な記録媒体。
【００２０】
〈構成１０〉読み取り装置が、名刺に印刷された２次元バーコードを読み取るステップと、情報取得手段が、上記２次元バーコードにより表示された、当該名刺をそのまま印刷するために必要な全ての情報を取得するステップと、印刷手段が、上記情報取得手段の取得した情報に基づいて、印刷用紙と文字情報と印刷書式情報とを選択して、上記名刺と同一の名刺を印刷するステップと、本人確認手段が、携帯端末装置から取得された、名刺の所有者を特定する情報と、上記名刺をそのまま印刷するために必要な情報中に含まれた所定の情報とを比較して、両者が一致したときに上記印刷手段に印刷を実行させるステップ、とを含む名刺印刷制御方法。
【発明を実施するための最良の形態】
【００２１】
本発明では、名刺をそのまま印刷するために必要な全ての情報をプリンタに自動的に入力するので操作が簡便になる。また、印刷された名刺をデータの入力に使用できるので、メモリカード等を所持する必要がなく、常時所持しても全く負担にならない。本人確認処理と組み合わせると、本人だけが名刺を複製できる。以下、本発明の実施の形態を実施例ごとに詳細に説明する。
【実施例１】
【００２２】
図１は、実施例１の名刺を示す説明図である。
図の名刺１０は、ごく一般的な形式で会社名や氏名等の文字１１を印刷したものである。この名刺１０の余白に、２次元バーコード１２が印刷されている。この２次元バーコード１２は、少なくとも、名刺１０に印刷された文字情報１６と印刷書式情報１７とを含む。２次元バーコード１２は、名刺１０をそのまま印刷するために必要な全ての情報を含むことが好ましい。文字情報１６は、全ての文字の印刷文字の文字コードである。印刷書式情報１７は、フォントの種別、フォントサイズ、印刷位置、文字カラー等を指定する情報を含む。この２次元バーコード１２を印刷した名刺を使えば、同じ名刺の複製を希望するときに、簡単にプリンタに必要なデータを入力できる。なお、この２次元バーコード１２が名刺の複製にのみ利用されるものであれば、名刺の所有者本人以外には不要である。従って、名刺の所有者本人だけのために数枚程度印刷するとよい。即ち、普通に使用する名刺は、２次元バーコード１２が印刷されていないものであることが好ましい。これにより、他人が無断で名刺を複製するのを防止できる。なお、ここでいう２次元バーコードとは、２次元的に描かれた符号やパタンであって、任意の文字群を記録するために使用されるものである。光学的に読み取って文字群を認識できるものであれば、その形式は任意である。
【実施例２】
【００２３】
図２は、実施例２の名刺を示す説明図である。
この名刺１０にも、２次元バーコード１３が印刷されている。この２次元バーコード１３は、所定のウェブサイトをアクセスするためのＵＲＬ１８を記録する。所定のウェブサイトのサーバ１４は、データ閲覧に使用される記憶装置１５に、文字情報１６と印刷書式情報１７を登録している。名刺の利用者が、予めこれらの情報をサーバ１４に登録しておく。そして、このＵＲＬ１８をアクセスすると、当該名刺１０をそのまま印刷するために必要な全ての情報をいつでも取得できる。一般に、２次元バーコードは記録できる情報量に限界がある。サーバを利用すれば、複雑な構成の名刺であっても、必要な情報を全て登録しておける。認証処理を経て情報を取得できるようにしておけば、他人が無断で名刺を複製するのを防止できる。
【実施例３】
【００２４】
図３は、実施例３のプリンタのブロック図である。
この図では、プリンタの外観を斜視図で示し、その内部の機能ブロックを下側に展開して示した。ネットワーク５５とサーバ１４も図示した。プリンタ２０には、ディスプレイ２１と現金投入口２２と名刺排出口２３と用紙サプライ２５が設けられている。このプリンタは、例えば、鉄道の駅やコンビニエンスストア等に設置される。ディスプレイ２１には操作案内が表示される。タッチパネル式で操作入力にも使用される。現金投入口２２は名刺印刷代金の支払いに使用される。名刺排出口２３は印刷された名刺を排出する部分である。用紙サプライ２５には、名刺を印刷するための複数種類の印刷用紙が格納されている。用紙の種類についても、２次元バーコード１２に表示された情報により自動的に選択できることか好ましい。これにより、いつでも、いつも使用しているものと全く同じ名刺を複製できる。
【００２５】
名刺プリンタ２０は、演算処理装置３０と記憶装置４０とを備える。演算処理装置３０は、読み取り装置３１、情報取得手段３２、印刷手段３３、本人確認手段３４、ネットワークアクセス手段３５、課金手段３６を備える。これらの手段は、名刺プリンタ２０を制御するコンピュータに、所定の処理を実行させるコンピュータプログラムである。記憶装置４０は、文字情報１６、印刷書式情報１７、印刷データ４５を記憶する。演算処理装置３０には、ネットワークインタフェース４１と入出力インタフェース４２が接続されている。ネットワークインタフェース４１はネットワーク５５を介してサーバ１４に接続し、登録情報の取得に使用される。入出力インタフェース４２には、プリントエンジン４３と入出金装置４４とが接続されている。
【００２６】
読み取り装置３１は、名刺１０に印刷された２次元バーコード１２を読み取る機能を持つ。この装置は、ディスプレイ２１の横等に配置されたディジタルカメラ等により実現する。情報取得手段３２は、読み取り装置３１の読み取り情報から、名刺１０をそのまま印刷するために必要な全ての情報を取得する機能を持つ。このとき、コード変換処理等により、文字情報１６や印刷書式情報１７を取得して、記憶装置４０に記憶させる。印刷手段３３は、情報取得手段３２の取得した情報に基づいて、印刷用紙と文字情報と印刷書式情報とを選択して、名刺１０と同一の名刺１０を印刷するための印刷データ４５を生成する機能を持つ。印刷データ４５は、入出力インタフェース４２を通じてプリントエンジン４３に転送され、印刷処理が実行される。
【００２７】
ネットワークアクセス手段３５は、ネットワークインタフェース４１を通じてウェブサーバ１４にアクセスし、登録情報を取得する機能を持つ。図１に示した形式の名刺の印刷時には、ネットワークアクセス手段３５は動作しない。図２に示した名刺の印刷が要求されると、情報取得手段３２は、該当するＵＲＬをアクセスして、文字情報１６と印刷書式情報１７を要求する。ネットワークアクセス手段３５は、このとき、ディスプレイ２１を通じて名刺の印刷依頼者に対し、認証情報の入力を要求する。入力された認証情報は、サーバの認証情報５７と比較され、本人確認が行われる。正常に認証されると、ウェブサーバ１４から登録情報が取得される。
【００２８】
実施例１の名刺を持参すると、このプリンタでだれでも同一の名刺を印刷できる。従って、利用者本人のみがこのような構成の名刺を所持することが好ましい。一方、実施例２の名刺は、認証処理によりサーバから印刷用のデータを取得するので、本人以外の者の利用を抑制できる。課金手段３６は、印刷を実行する前に、例えば、印刷料金を表示して、利用者に現金の投入を要求する制御を行う機能を持つ。入出金装置４４は、よく知られた現金の入金、鑑定、出金を処理する装置である。例えば、ウェブサーバ１４の管理者と名刺プリンタ２０の管理者とが連携をすれば、用紙選択情報により、常に全く同質の用紙に名刺を印刷することができる。名刺の印刷代金を、サーバ１４でのデータ登録管理費に含めて徴集することもできる。また、このサービスを全国どこでも提供できる。
【実施例４】
【００２９】
図４は、携帯端末装置を使用した本人確認処理動作の説明図である。
実施例１の名刺の情報が取得されても、本人以外の者の印刷要求を拒絶しようとすると、認証情報の登録が必要になる。しかし、どのプリンタを利用するか特定していないときは、プリンタに認証情報を登録することはできない。また、プリンタに認証情報を登録するとセキュリティに問題がある。名刺に認証情報を印刷しておいては、セキュリティが確保できない。そこで、この実施例では、携帯電話等の携帯端末装置を利用する。
【００３０】
図の携帯端末装置５０は、例えば、携帯電話である。携帯端末装置５０は演算処理装置６０と記憶装置７０を備えている。携帯端末装置５０は、読み取り装置６１、情報取得手段６２、通信手段６４を備えている。記憶装置７０は、本人確認情報７１を記憶している。読み取り装置６１は、名刺１０に印刷された２次元バーコード１２を読み取る機能を持つ。情報取得手段３２は、読み取り装置６１の読み取り情報から、名刺１０をそのまま印刷するために必要な全ての情報を取得する機能を持つ。取得された文字情報１６と印刷書式情報１７とは記憶装置７０に記憶される。これらの機能は、既存の携帯電話にすでに備えられている。通信手段６４は、プリンタと通信をする機能を持つ。
【００３１】
携帯電話には、携帯電話の所有者に関する各種の情報が登録されている。これをこの実施例で本人確認情報７１と呼んでいる。名刺印刷のための情報には、その個人情報と一致する項目がたくさん含まれる。従って、携帯電話から転送される個人情報と名刺印刷のための情報とを比較すると、携帯電話の持ち主本人が名刺印刷を要求したかどうかを確認できる。即ち、携帯端末装置から取得された、名刺１０の所有者を特定する情報と名刺１０をそのまま印刷するために必要な全ての情報中に含まれた所定の情報とを比較して、両者が一致したときに印刷手段に印刷を実行させる。ここでは、例えば、本人確認情報７１から携帯電話番号情報７２を選択して本人確認に使用する。
【００３２】
始めに読み取り装置６１が２次元バーコード１２を読み取る。そして、情報取得手段６２が文字情報１６と印刷書式情報１７とを取得して記憶装置７０に記憶させる。その後、通信手段６４が文字情報１６と印刷書式情報１７とを記憶装置７０から読み出して、プリンタに転送する。プリンタの情報取得手段３２は、本人確認情報７１から携帯電話番号情報７２を抽出する。同時に、文字情報１６から携帯電話番号表示７３を抽出する。本人確認手段３４は、携帯電話番号情報７２と携帯電話番号表示７３とを比較する。両者が一致すれば、本人と判断する。それ以外の場合には、印刷を拒絶する。なお、実施例２の構成の名刺の場合にも、携帯電話でサーバ１４にアクセスすることができる。このときは認証処理を経て文字情報等を取得するから、この実施例のような本人確認処理は無くて良い。
【００３３】
携帯電話からプリンタに対して本人確認情報等を送信する通信処理には、携帯電話の電話回線のみならず、ローカルエリアネットワークやブルートゥース、赤外線通信等の任意の手段を使用できる。ネットワークを通じた通信を極力少なくすることで、処理の迅速化が可能になる。また、ネットワークへの接続コストも削減できる。
【００３４】
図５は、上記のようなプリンタのハードウエアブロック図である。
プリンタ２０は、バスライン１２０に、ＣＰＵ１２１（中央演算処理装置）、ＲＯＭ１２２（リードオンメモリ）、ＲＡＭ１２３（ランダムアクセスメモリ）、ＲＡＭ１２４を接続したものである。ネットワークインタフェース４１はインターネット等のネットワークに接続される。実施例１の名刺のみを取り扱うときはネットワークへの接続は不要である。入出力インタフェース４２には、入出金装置４４、ディスプレイ２１、プリントエンジン４３が接続される。ディスプレイ２１はタッチパネル等を組み込んでおり、操作キーを兼用している。ＣＰＵ１２１は、プリンタを制御するコンピュータである。ＲＯＭ１２２は、ファームウエアを記憶するメモリである。ＲＡＭ１２３は、名刺印刷制御用のコンピュータプログラムを記憶するメモリである。図３の演算処理装置３０に設けられたプログラムはここに記憶される。ＲＡＭ１２４は、文字情報１６や印刷書式情報１７や、プリントエンジン４３に供給する印刷データを記憶するための記憶装置である。ディスプレイ２１（操作キー）は、プリンタを操作するためのもので、名刺印刷要求の入力等に使用される。プリントエンジン４３は、名刺印刷用紙を搬送し、印字ヘッドを用いて印刷を実行する既知のプリントメカニズムである。
【実施例５】
【００３５】
図６は、プリンタの名刺印刷制御動作フローチャートである。
ここでは、実施例１の構成の名刺を使用した例を説明する。まず、ステップＳ１１では、読み取り装置３１が名刺１０の２次元バーコード１２の読み取りをする。ステップＳ１２では、情報取得手段３２が読み取った情報の解析をする。こうして、ステップＳ１３で文字情報１６を取得する。さらに、ステップＳ１４で印刷書式情報１７の取得をする。その結果は記憶装置４０に記憶される。ステップＳ１５では、印刷手段３３が印刷用紙の選択処理をする。ステップＳ１６では、ディスプレイ２１により、選択された用紙がこれでよいかどうかの確認表示をする。全く同一の用紙が無かった場合等に必要な処理である。ステップＳ１７では、本人確認処理をする。これは、本人確認手段３４が図３を用いて説明した要領で行う。具体的には、後で図９を用いて説明する。
【００３６】
ステップＳ１８では、本人かどうかという判断をする。この判断の結果がイエスのときはステップＳ１９の処理に移行し、ノーのときは処理を終了する。このときは、ディスプレイ２１にエラーメッセージを表示するとよい。ステップＳ１９では、課金処理をする。課金手段３６はディスプレイ２１に料金を表示し、現金投入口２２により料金を徴集する。料金徴収が終わると、印刷手段３３がステップＳ２０でレイアウト編集をする。そして、ステップＳ２１で印刷データの生成をする。ステップＳ２２では、その印刷データをプリントエンジン４３に転送して印刷を実行する。ステップＳ２３では、プリントエンジン４３が印刷後の名刺を排出をする。
【実施例６】
【００３７】
図７は、携帯電話による名刺印刷情報取得動作フローチャートである。
ここでは、実施例２の構成の名刺を使用して、携帯電話がサーバから名刺印刷情報を取得する例を説明する。携帯電話の各機能ブロックは、図４に示した符号により参照する。まず、読み取り装置６１がステップＳ３１で、名刺１０の２次元バーコード１３を読み取る。ステップＳ３２で、情報取得手段６２はこの情報からＵＲＬの取得をする。ステップＳ３３では、通信手段６４が該当サイトへアクセスする。ステップＳ３４では、利用者に対して、認証情報の入力要求をする。ステップＳ３５では、利用者の入力した本人確認情報を受け付ける。これを利用して、ステップＳ３６で認証処理をする。携帯電話の電話番号で認証処理をしてもよい。
【００３８】
ステップＳ３７では、正常認証されたかどうかという判断をする。この判断の結果がイエスのときはステップＳ３８の処理に移行し、ノーのときは処理を終了する。このときにはエラーメッセージ等を表示することが好ましい。ステップＳ３８では、ウェブサーバ１４から文字情報を取得する。さらに、ステップＳ３９で、ウェブサーバ１４から印刷書式情報を取得する。こうして、携帯電話が認証処理を経て名刺の印刷に必要な全ての情報を取得した。この情報をプリンタに転送すれば、プリンタはただちに名刺の印刷処理を実行する。例えば、この例では、携帯電話回線を使ってプリンタに印刷要求をする。即ち、ステップＳ４０でプリンタの指定する番号をダイヤルし、印刷要求のための発呼をする。
【００３９】
図８は、携帯電話からの印刷要求をプリンタが受け付ける処理のフローチャートである。
ステップＳ４１では、印刷要求がプリンタに着呼する。プリンタの情報取得手段３２は、ステップＳ４２で受信情報の確認をする。ここで以下の手順を確定する。ネットワークアクセス手段３５はステップＳ４３で、発信元の認識をする。そして、課金手段３６がステップＳ４４で料金計算をしてその結果を表示する。印刷手段３３はステップＳ４５でただちに印刷処理を実行する。そして、印刷した名刺を排出した後、課金手段３６が、ステップＳ４６で引き落とし処理を実行する。なお、図７と図８とで、携帯電話を用いて文字情報と印刷書式情報を取得する例を説明したが、携帯電話を使用せずにプリンタが直接これらの情報を取得してもよい。このときは、プリンタがサーバとの間で認証処理を実行し、利用者はディスプレイ２１を使用して、本人確認情報を入力する。その違いだけで、他の処理は全く同様でよい。
【００４０】
図９は、図４で説明した本人確認処理の具体的な動作を説明するフローチャートである。
プリンタは、まずステップＳ５１で、携帯電話から文字情報１６を取得する。次に、ステップＳ５２で印刷書式情報１７を取得する。ステップＳ５３では、文字情報１６の中に含まれる携帯電話番号表示７３の抽出をする。一方、ステップＳ５４で携帯電話から本人確認情報７１を取得する。そして、ステップＳ５５でこの本人確認情報７１に含まれる携帯電話番号情報７２を抽出する。ステップＳ５６では、本人確認手段３４が、携帯電話番号表示７３と携帯電話番号情報７２との比較判定をする。これで認証処理が終了する。この判定結果が本人確認手段３４に渡される。その後は、図７のステップＳ３７に進む。
【００４１】
上記のプリンタ等の演算処理装置で実行されるコンピュータプログラムは、機能ブロックで図示した単位でモジュール化されてもよいし、複数の機能ブロックを組み合わせて一体化されてもよい。また、上記のコンピュータプログラムは、既存のアプリケーションプログラムに組み込んで使用してもよい。本発明を実現するためのコンピュータプログラムは、例えばＣＤ−ＲＯＭのようなコンピュータで読み取り可能な記録媒体に記録して、任意の情報処理装置にインストールして利用することができる。
【図面の簡単な説明】
【００４２】
【図１】実施例１の名刺を示す説明図。
【図２】実施例２の名刺を示す説明図。
【図３】実施例３のプリンタのブロック図。
【図４】携帯端末装置を使用した本人確認処理動作の説明図。
【図５】プリンタのハードウエアブロック図。
【図６】プリンタの名刺印刷制御動作フローチャート。
【図７】携帯電話による名刺印刷情報取得動作フローチャート。
【図８】携帯電話からの印刷要求をプリンタが受け付ける処理のフローチャート。
【図９】本人確認処理の具体的な動作を説明するフローチャート。
【符号の説明】
【００４３】
１０  名刺、１１  文字、１２  ２次元バーコード、１３  ２次元バーコード、１４  ウェブサーバ、１５  記憶装置、１６  文字情報、１７  印刷書式情報、１８  ＵＲＬ。
【図１】
2007210107.tif 000003
【図２】
2007210107.tif 000004
【図３】
2007210107.tif 000005
【図４】
2007210107.tif 000006
【図５】
2007210107.tif 000007
【図６】
2007210107.tif 000008
【図７】
2007210107.tif 000009
【図８】
2007210107.tif 000010
【図９】
2007210107.tif 000011